(57)【要約】【課題】  投票券発売及び的中代金払戻装置において、投票カードと的中券を同時に処理することが可能な技術を提供すること。【解決手段】  投票券発売及び的中代金払戻装置であり、投票カードを取り込む投票カード取込部と、的中券を取り込む的中券取込部と、１つの駆動源により駆動され、投票カード取込部と的中券取込部とに接続され、それらから取り込まれた投票カード又は的中券を搬送する読み取り搬送部と、その搬送される投票カード又は的中券の記載内容を読み取るリーダと、投票カード又は的中券を返却する返却部と、読み取り搬送部と返却部とに接続され、読み取り搬送部から搬送されてくる投票カード又は的中券を少なくとも返却部へ導くことが可能な全体搬送部と、読み取り搬送部においてリーダよりも搬送方向について下流の位置又は全体搬送部から分岐して設けられ、投票カード又は的中券を一時的に保留する保留部と、を備える。【選択図】        図１
2006190133.tif 000002
【特許請求の範囲】
【請求項１】
所定の競技に対して予想内容が記載された投票カードに基づいて投票券を発売し、また、前記投票券のうち前記予想内容が的中した的中券について、その的中額分の的中代金の払い戻しを行い、さらに、前記投票券の購入代金の少なくとも一部を前記的中券についての前記的中代金で支払うことが可能な投票券発売及び的中代金払戻装置であって、
前記投票カードを取り込むための投票カード取込部と、
前記的中券を取り込むための的中券取込部と、
１つの駆動源により駆動され、前記投票カード取込部と前記的中券取込部とに接続され、接続される前記投票カード取込部または前記的中券取込部から取り込まれた前記投票カードまたは前記的中券を搬送する読み取り搬送部と、
前記読み取り搬送部の所定の位置に配置され、前記読み取り搬送部により搬送される前記投票カードまたは前記的中券の記載内容を読み取るリーダと、
前記投票カードまたは前記的中券を返却するための返却部と、
少なくとも前記読み取り搬送部と前記返却部とに接続され、前記読み取り搬送部から前記投票カードまたは前記的中券が搬送されて来た場合には、その投票カードまたは的中券を少なくとも前記返却部へ導くことが可能な全体搬送部と、
前記読み取り搬送部において前記リーダよりも搬送方向について下流の位置から分岐して設けられ、または、前記全体搬送部から分岐して設けられ、前記投票カードまたは前記的中券を一時的に保留する保留部と、
を備えることを特徴とする投票券発売及び的中代金払戻装置。
【請求項２】
請求項１に記載の投票券発売及び的中代金払戻装置において、
前記投票カードを回収するための投票カード回収部を備え、
前記保留部は、
前記全体搬送部から分岐して設けられ、さらに、前記投票カード回収部に接続され、
前記投票カードを一時的に保留し、
所定のタイミングに、保留している前記投票カードを前記全体搬送部または前記投票カード回収部へ搬送することを特徴とする投票券発売及び的中代金払戻装置。
【請求項３】
請求項１に記載の投票券発売及び的中代金払戻装置において、
前記的中券を回収するための的中券回収部を備え、
前記保留部は、
前記全体搬送部から分岐して設けられ、さらに、前記的中券回収部に接続され、
前記的中券を一時的に保留し、
所定のタイミングに、保留している前記的中券を前記全体搬送部または前記的中券回収部へ搬送することを特徴とする投票券発売及び的中代金払戻装置。
【発明の詳細な説明】
【技術分野】
【０００１】
本発明は、投票券の発売、及び、投票券のうち投票結果が的中した的中券の的中額分の代金の払い戻しを自動で行う装置に関する。
【背景技術】
【０００２】
従来、競馬や競艇等の競技において、その競技に対する予想内容を記入した投票カードに基づいて、投票券を発売する機能と、投票券のうち投票結果（予想結果）が的中した的中券の的中額分の代金の払い戻し機能を備えた投票券発売及び的中代金払戻装置が開発されている。このような投票券発売及び的中代金払戻装置として、例えば、図５に示す装置が知られている。
【０００３】
図５は、従来における投票券発売及び的中代金払戻装置５００の概略図である。
図５に示す投票券発売及び的中代金払戻装置５００は、主に、ユーザにより挿入された、競技の投票内容（予想内容など）が記載された投票カードを取り込む投票カード取込部５１０と、ユーザにより挿入された的中券を取り込む的中券取込部５２０と、投票カードの投票内容または的中券の的中データを読み取るリーダ５３０と、的中券を回収する的中券回収箱５４０と、投票券を回収するための投票カード回収箱５５０と、読み取り搬送路５６０と、全体搬送路５７０と、読み取り搬送路５６０を駆動するための駆動モータ５８０と、全体搬送路５７０を駆動するための駆動モータ５９０とを備えている。読み取り搬送路５６０は、的中券取込部５２０または投票カード取込部５１０から取り込まれた的中券または投票カードをリーダ５３０を介して全体搬送路５７０まで搬送する。全体搬送路５７０は、的中券または投票カードを回収する場合には、それを的中券回収箱５４０または投票カード回収箱５５０へ搬送する。また、全体搬送路５７０は、的中券または投票券を返却する場合には、それを返却口５７５へ搬送する。この投票券発売及び的中代金払戻装置５００において、各搬送路５６０，５７０は、それぞれ１つの駆動源である駆動モータ５８０，５９０によって同期して駆動される。ここで、「同期する」とは、搬送路の一部のみが動くのではなく全体が動くことを表わす。
【０００４】
この投票券発売及び的中代金払戻装置５００は、ユーザにより挿入された投票カードを、リーダ５３０で投票内容を読み込んだ後、ユーザによるキャンセル等を考慮し回収せずにリーダ５３０付近の搬送路５６０や搬送路５７０等に一旦保持する。
【０００５】
なお、上記に関連する技術として、下記特許文献１に、投票券を発売するための投票券発売装置が公開されている。
【０００６】
【特許文献１】特開２００３−２８１３０９公報
【発明の開示】
【発明が解決しようとする課題】
【０００７】
ところで、上述した投票券発売及び的中代金払戻装置５００において、ユーザは、投票カードを挿入して投票券を購入する場合に、現金ではなく的中券の的中額に相当する代金（以下、的中額相当金とも呼ぶ。）を用いて投票券を購入したいという要望があった。この場合、この投票券発売及び的中代金払戻装置５００は、投票カードを保持した状態で、的中券取込部５２０を介して挿入される的中券に対して、的中額相当金の読み取りや、その的中券の回収、または、その的中券の返却などの処理を行う必要があった。
【０００８】
しかしながら、上述した投票券発売及び的中代金払戻装置５００では、全体搬送路５７０は、読み取り搬送路５６０との接続部分から返却口５７５まで投票カードと的中券の兼用搬送路となっており、さらに、各搬送路５６０，５７０は、駆動モータ５８０，５９０によってそれぞれ同期して駆動されるので、投票カードを保持したまま、的中券を的中券回収箱５４０へ回収したり、返却口５７５へ返却したりすることは困難であった。
【０００９】
なお、上述の投票券発売及び的中代金払戻装置５００において、的中券が先に挿入され、その後、投票カードが挿入される場合も考えられるが、この場合も、的中券を保持したまま投票カードを投票カード回収箱５５０へ回収したり、返却口５７５へ返却したりすることは困難であった。
【００１０】
本発明は、上記課題にかんがみてなされたもので、投票券発売及び的中代金払戻装置において、投票カードと的中券を同時に処理することが可能な技術を提供することを目的とする。
【課題を解決するための手段】
【００１１】
上記目的の少なくとも一部を達成するために、本発明の投票券発売及び的中代金払戻装置は、
所定の競技に対して予想内容が記載された投票カードに基づいて投票券を発売し、また、前記投票券のうち前記予想内容が的中した的中券について、その的中額分の的中代金の払い戻しを行い、さらに、前記投票券の購入代金の少なくとも一部を前記的中券についての前記的中代金で支払うことが可能な投票券発売及び的中代金払戻装置であって、
前記投票カードを取り込むための投票カード取込部と、
前記的中券を取り込むための的中券取込部と、
１つの駆動源により駆動され、前記投票カード取込部と前記的中券取込部とに接続され、接続される前記投票カード取込部または前記的中券取込部から取り込まれた前記投票カードまたは前記的中券を搬送する読み取り搬送部と、
前記読み取り搬送部の所定の位置に配置され、前記読み取り搬送部により搬送される前記投票カードまたは前記的中券の記載内容を読み取るリーダと、
前記投票カードまたは前記的中券を返却するための返却部と、
少なくとも前記読み取り搬送部と前記返却部とに接続され、前記読み取り搬送部から前記投票カードまたは前記的中券が搬送されて来た場合には、その投票カードまたは的中券を少なくとも前記返却部へ導くことが可能な全体搬送部と、
前記読み取り搬送部において前記リーダよりも搬送方向について下流の位置から分岐して設けられ、または、前記全体搬送部から分岐して設けられ、前記投票カードまたは前記的中券を一時的に保留する保留部と、
を備えることを要旨とする。
【００１２】
上記構成の投票券発売及び的中代金払戻装置によれば、保留部に投票カードまたは的中券を保留した状態で、さらに、的中券または投票カードを取り込み、リーダによる読み取り処理等を行うことができる。言い換えれば、上記構成の投票券発売及び的中代金払戻装置によれば、投票カードと的中券を同時に処理することが可能となる。
【００１３】
上記投票券発売及び的中代金払戻装置において、
前記投票カードを回収するための投票カード回収部を備え、
前記保留部は、
前記全体搬送部から分岐して設けられ、さらに、前記投票カード回収部に接続され、
前記投票カードを一時的に保留し、
所定のタイミングに、保留している前記投票カードを前記全体搬送部または前記投票カード回収部へ搬送するようにしてもよい。
【００１４】
このようにすれば、投票カードは、リーダにより記載内容が読み取られた後、すぐには回収されず一旦保留されるので、例えば、ユーザが投票カードの返却を希望した場合に、返却することが可能となる。
【００１５】
上記投票券発売及び的中代金払戻装置において、
前記的中券を回収するための的中券回収部を備え、
前記保留部は、
前記全体搬送部から分岐して設けられ、さらに、前記的中券回収部に接続され、
前記的中券を一時的に保留し、
所定のタイミングに、保留している前記的中券を前記全体搬送部または前記的中券回収部へ搬送するようにしてもよい。
【００１６】
このようにすれば、的中券は、リーダにより記載内容が読み取られた後、すぐには回収されず一旦保留されるので、例えば、ユーザが的中券の返却を希望した場合に、返却することが可能となる。
【００１７】
なお、本発明は、上記した装置発明の態様に限ることなく、投票券の発売及び的中代金の払い戻し方法等の方法発明としての態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００１８】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００１９】
以下、本発明の実施の形態について、実施例に基づき次の順序で説明する。
Ａ．実施例：
Ａ１．装置概略：
Ａ２．発券処理：
Ｂ．変形例：
【００２０】
Ａ．実施例：
Ａ１．装置概略：
図１は、本発明の本実施例における馬券発売及び的中代金払戻装置１０００の概略構成とホストコンピュータ２０００とを示した図である。
図２は、本実施例における馬券発売及び的中代金払戻装置１０００の正面図である。
一般的に、競馬競技において、ユーザは、所定のレースの予想内容及び掛け金（以下、投票内容と呼ぶ。）を投票カードに記入し、その投票内容が記載された勝馬投票券（以下、単に馬券と呼ぶ。）を購入する。また、ユーザは、馬券に記載された投票内容が、的中した場合には、その馬券を的中券として、的中券の的中額（掛け金に応じた額）分の代金の払い戻しの作業を行う。本実施例の馬券発売及び的中代金払戻装置１０００は、このような馬券の発売機能と、的中券の的中額分の代金の払い戻し機能とを備えている。
【００２１】
図１に示すように、馬券発売及び的中代金払戻装置１０００は、ホストコンピュータ２０００とネットワークを介して接続されている。ホストコンピュータ２０００は、一般的なコンピュータであり、各ユーザの全体の投票内容を集計したり、的中券の検証をしたり、および、払い戻し金額を決定する。
【００２２】
また、馬券発売及び的中代金払戻装置１０００は、主に、投票カード取込部１０と、的中券取込部２０と、リーダ３０と、的中券回収箱４０と、投票カード回収箱５０と、読み取り用搬送路６０と、全体搬送路７０と、読み取り用搬送路駆動モータ８０と、全体搬送路駆動モータ９０と、廃券印字部１００と、操作タッチパネル１１０と、投票カード専用搬送路１２０と、投票カード専用搬送路駆動部１３０と、発券印刷部１４０と、精算ボタン１５０と、現金管理部１６０と、制御部２００とを備える。
【００２３】
投票カード取込部１０は、図２に示すように、投票カード挿入口１５を備え、ユーザにより、投票カード挿入口１５に投票カードが挿入されると、それを取り込んで読み取り用搬送路６０へ送る。
【００２４】
的中券取込部２０は、図２に示すように、的中券挿入口２５を備え、ユーザにより、的中券挿入口２５に的中券（馬券）が挿入されると、それを取り込んで読み取り用搬送路６０へ送る。
【００２５】
読み取り用搬送路６０は、投票カード取込部１０または的中券取込部２０で取り込まれた投票カードまたは的中券をリーダ３０まで一旦搬送し、その後、さらに、全体搬送路７０へ搬送する。読み取り用搬送路駆動モータ８０は、この読み取り用搬送路６０を駆動させるモータであり、読み取り用搬送路６０全体が同期するようにして駆動させる。ここで、「同期する」とは、一部の搬送路のみが動くのではなく搬送路全体が動くことを表わす。なお、読み取り用搬送路６０において、リーダ３０が設置されている位置を位置Ｘと呼ぶ。
【００２６】
リーダ３０は、読み取り用搬送路６０により搬送されてくる投票カードに記入された投票内容を読み取る。また、リーダ３０は、読み取り用搬送路６０により搬送されてくる的中券に記載されている投票内容を読み取る。
【００２７】
的中券回収箱４０は、的中券を回収するための箱であり、投票カード回収箱５０は、投票カードを回収するための箱である。
返却口５７５は、投票カードまたは的中券をユーザに返却するための返却口である。
【００２８】
全体搬送路７０は、読み取り用搬送路６０から投票カードが搬送されてくる場合には、その投票カードを制御部２００の指示に基づいて、返却口５７５または投票カード専用搬送路１２０へ搬送する。また、全体搬送路７０は、読み取り用搬送路６０から的中券が搬送されてくる場合には、その的中券を制御部２００の指示に基づいて、返却口５７５または的中券回収箱４０へ搬送する。全体搬送路駆動モータ９０は、この全体搬送路７０を駆動させるモータであり、全体搬送路７０全体が同期するようにして駆動させる。
【００２９】
廃券印字部１００は、的中券回収箱４０に回収される的中券に廃券印字を行う。例えば、パンチ処理を行う。
【００３０】
投票カード専用搬送路１２０は、全体搬送路７０から搬送されてくる投票カードを、制御部２００の指示に基づき、一旦保留したり、投票カード回収箱５０へ搬送したり、また、全体搬送路７０へ再搬送したりする。投票カード専用搬送路駆動部１３０は、この投票カード専用搬送路１２０を駆動させる駆動モータであり、投票カード専用搬送路１２０全体が同期するようにして駆動させる。
【００３１】
操作タッチパネル１１０は、タッチパネル方式にて、ユーザから発券を行うための種々の操作を受け付けるユーザインタフェイスである。
【００３２】
発券印刷部１４０は、図２に示すように発券口１４５を備え、制御部２００から発券データを受け取って、所定の媒体に印刷し、それを発券口１４５を介して発券する。精算ボタン１５０は、後述の発券処理で、精算を行う場合等に用いられる。
【００３３】
現金管理部１６０は、図２に示すように硬貨口１６１及び紙幣口１６３を備え、後述の発券処理にてそれらを介してユーザから投入される現金を取り込み管理する。また、現金管理部１６０は、的中券の的中代金の払い戻しの際には、硬貨口１６１または紙幣口１６３を介して、現金を払い戻す。
【００３４】
制御部２００は、ＣＰＵ（図示せず）と、所定のアプリケーションプログラムを記憶したＲＯＭ（図示せず）と、ＲＡＭ（図示せず）とを備え、ＣＰＵがＲＯＭから所定のアプリケーションプログラムをＲＡＭに展開することで、上述した投票カード取込部１０と、的中券取込部２０と、リーダ３０と、読み取り用搬送路駆動モータ８０と、全体搬送路駆動モータ９０と、廃券印字部１００と、操作タッチパネル１１０と、投票カード専用搬送路駆動部１３０と、発券印刷部１４０と、精算ボタン１５０と、現金管理部１６０とを制御し、後述する発券処理を実行する。
【００３５】
Ａ２．発券処理：
以下に、本実施例の馬券発売及び的中代金払戻装置１０００が行う発券処理について説明する。馬券発売及び的中代金払戻装置１０００は、この発券処理において、ユーザにより挿入される投票カードに基づいて、馬券を発券する。この場合、本実施例の馬券発売及び的中代金払戻装置１０００は、現金のみでなく、的中券の的中代金の少なくとも一部を馬券の購入代金に充当することができるようになっている。
【００３６】
馬券発売及び的中代金払戻装置１０００は、上述したように、馬券の発売（発券）機能と共に的中券の的中代金の払い戻し機能も有する。従って、制御部２００は、通常、操作タッチパネル１１０に、発券を行うための発券ボタン（図示せず）と、払い戻しを行うための払い戻しボタン（図示せず）を表示させている。そして、ユーザが発券ボタンを押した場合に、馬券発売及び的中代金払戻装置１０００は、以下の発券処理を行う。
【００３７】
図３および図４は、本実施例における発券処理を表わすフローチャートである。
まず、制御部２００は、図３に示すように、ユーザにより投票カード取込部１０に投票カードが挿入されたかどうか判断する（ステップＳ５）。制御部２００は、投票カードが挿入されていなければ（ステップＳ５：ＮＯ）、待機し、投票カードが挿入された場合には（ステップＳ５：ＹＥＳ）、その投票カードを読み取り用搬送路駆動モータ８０に読み取り用搬送路６０を駆動させて、位置Ｘまで搬送させる。
【００３８】
続いて、制御部２００は、硬貨口１６１または紙幣口１６３を介して現金管理部１６０に現金が投入されたかどうかを判断する（ステップＳ１０）。
【００３９】
制御部２００は、現金が投入されていなければ（ステップＳ１０：ＮＯ）、待機し、現金が投入されるまで待つ。なお、この待機中、精算ボタン１５０が押された場合には、制御部２００は、ユーザが馬券の購入をキャンセルしたと判断し、読み取り用搬送路駆動モータ８０を駆動させて、位置Ｘにある投票カードを、読み取り用搬送路６０に全体搬送路７０まで搬送させ、さらに、その投票カードを、全体搬送路駆動モータ９０を駆動させて、全体搬送路７０に返却口７５まで搬送させる。
【００４０】
制御部２００は、現金が投入されていれば（ステップＳ１０：ＹＥＳ）、続いて、現金管理部１６０に投入された現金の額を読み取らせる（ステップＳ２０）。
【００４１】
次に、制御部２００は、挿入された投票カードから投票内容を読み取る（ステップＳ３０）。
【００４２】
制御部２００は、読み取った投票内容をホストコンピュータ２０００へ送信する（ステップＳ４０）。ホストコンピュータ２０００は、送信されてくる投票内容を受信し、他の馬券発売及び的中代金払戻装置１０００から送信されてくる投票内容と共にそれらの集計を行う。ホストコンピュータ２０００は、馬券発売及び的中代金払戻装置１０００から投票内容を受信後、受信した投票内容に基づいて、馬券発売及び的中代金払戻装置１０００に、馬券の発券を行うための券面印字データを送信する。
【００４３】
制御部２００は、ホストコンピュータ２０００から送信されてくる券面印字データを受信すると（ステップＳ５０）、投票カードを移動させ投票カード専用搬送路１２０に保留させる（ステップＳ６０）。具体的には、制御部２００は、読み取り用搬送路駆動モータ８０を駆動させて、位置Ｘにある投票カードを、読み取り用搬送路６０に全体搬送路７０まで搬送させ、さらに、その投票カードを全体搬送路駆動モータ９０を駆動させて、全体搬送路７０に投票カード専用搬送路１２０まで搬送させる。そして、制御部２００は、投票カード専用搬送路駆動部１３０を駆動させず、投票カード専用搬送路１２０に保留させる。
【００４４】
次に、制御部２００は、読み取った投票内容（この場合は、掛け金。）に対して、読み取った現金額が足りているかどうかを判断する（ステップＳ６５）。
【００４５】
制御部２００は、読み取った投票内容（掛け金）に対して、読み取った現金額が足りていない場合には（ステップＳ６５：ＮＯ）、続いて、図４に示すように、的中券取込部２０に馬券が挿入されたか、若しくは、現金管理部１６０に現金が追加投入されたかどうかを判断する（ステップＳ７０）。
【００４６】
制御部２００は、馬券が挿入された場合には（ステップＳ７０：馬券挿入あり）、読み取り用搬送路駆動モータ８０を駆動させて読み取り用搬送路６０に、挿入された馬券を位置Ｘまで搬送させる。そして、制御部２００は、リーダ３０にその馬券から投票内容（予想内容及び掛け金）などの馬券データを読み取らせる（ステップＳ８０）。
【００４７】
制御部２００は、読み取らせた馬券データをホストコンピュータ２０００に送信する（ステップＳ９０）。ホストコンピュータ２０００は、馬券発売及び的中代金払戻装置１０００から馬券データを受け取ると、馬券データに基づく予想内容が的中しているかどうかを検討する。そして、ホストコンピュータ２０００は、検討の結果、馬券が的中していた場合には、馬券発売及び的中代金払戻装置１０００に対して、的中応答を行い、また、馬券における的中額を算出し、算出した的中額を表わす的中額情報を送信する。ホストコンピュータ２０００は、検討の結果、馬券が的中していなければ、馬券発売及び的中代金払戻装置１０００に対して、不的中応答を行う。
【００４８】
一方、制御部２００は、的中応答を受信した場合には、挿入された馬券が的中券であると判断する（ステップＳ１００：ＹＥＳ）。この際、制御部２００は、的中額情報を受信する（ステップＳ１１０）。
【００４９】
その後、制御部２００は、この的中券を的中券回収箱４０に回収する（ステップＳ１２０）。具体的には、制御部２００は、読み取り用搬送路駆動モータ８０を駆動させて、位置Ｘにある的中券を、読み取り用搬送路６０に全体搬送路７０まで搬送させる。そして、制御部２００は、その的中券を、全体搬送路駆動モータ９０を駆動させて全体搬送路７０に的中券回収箱４０まで搬送させることにより回収する。なお、的中券が廃券印字部１００のある位置を通過した時には、廃券印字部１００は、的中券に対して廃券マークを印字する。例えば、廃券印字部１００は、的中券に対して赤い文字で「廃券」と印字し、さらに、パンチで複数の穴を開ける。このステップＳ１２０の処理が終了すると、ステップＳ６５の処理にリターンする。
【００５０】
制御部２００は、不的中応答を受信した場合には、挿入された馬券が的中していなかったと判断し（ステップＳ１００：ＮＯ）、読み取り用搬送路駆動モータ８０および全体搬送路駆動モータ９０を駆動させて、位置Ｘにある馬券を、読み取り用搬送路６０および全体搬送路７０に返却口７５まで搬送させる（ステップＳ１３０）。その後、ステップＳ７０の処理にリターンする。
【００５１】
一方、制御部２００は、ステップＳ７０の処理において、現金管理部１６０に現金が追加投入された場合には（ステップＳ７０：現金追加投入あり）、現金管理部１６０に投入された現金の額を読み取らせる（ステップＳ１４０）。その後、ステップＳ６５の処理にリターンする。
【００５２】
また、制御部２００は、ステップＳ７０の処理において、馬券の挿入および現金の追加投入がない場合には（ステップＳ７０：なし）、続いて、ユーザにより精算ボタン１５０が押されたかどうかを判断する（ステップＳ１５０）。制御部２００は、精算ボタン１５０が押された場合には、ユーザが投票カード取込部１０に挿入した投票カードに基づく投票券の購入をキャンセルしたと判断し、投票カードをユーザに返却する（ステップＳ１６０）。具体的には、制御部２００は、投票カード専用搬送路駆動部１３０を駆動させて、投票カード専用搬送路１２０に保留中の投票カードを、投票カード専用搬送路１２０に全体搬送路７０まで搬送させ、全体搬送路駆動モータ９０を駆動させて全体搬送路７０に返却口７５まで搬送させる。
【００５３】
続いて、制御部２００は、ステップＳ１０の処理またはステップＳ７０の処理で投入された現金または的中額分の現金を払い戻すことにより精算を行う（ステップＳ１７０）。この精算後、この発券処理を終了する。
【００５４】
ところで、ステップＳ６５の処理において、制御部２００は、読み取った投票内容（掛け金）に対して、読み取った現金額が足りている場合には（ステップＳ６５：ＹＥＳ）、続いて、精算ボタン１５０が押されたかどうかを判断する（ステップＳ２００）。なお、この場合における現金額は、上述のステップＳ１１０の処理において、的中額情報を受信している場合には、その的中額情報に基づく的中額に相当する代金や、上述のステップＳ１４０の処理において、追加投入された現金額を読み取っている場合には、その現金額に相当する代金を含める。
【００５５】
制御部２００は、精算ボタン１５０が押された場合には（ステップＳ２００：ＹＥＳ）、投票カード専用搬送路１２０に保留中の投票カードを投票カード回収箱５０に回収する（ステップＳ２１０）。具体的には、制御部２００は、投票カード専用搬送路駆動部１３０を駆動させて、投票カード専用搬送路１２０に保留中の投票カードを、投票カード専用搬送路１２０に投票カード回収箱５０まで搬送させる。
【００５６】
次に、制御部２００は、発券および精算を行う（ステップＳ２２０）。具体的には、制御部２００は、発券印刷部１４０に、ステップＳ５０の処理で受信した券面印字データに基づいて印刷処理を行い、発券口１４５から発券を行う。さらに、制御部２００は、現金管理部１６０に上述のステップＳ１０の処理で、ユーザから投入された現金に加えて、ステップＳ７０の処理で、ユーザから追加投入された現金がある場合には、その現金（ステップＳ１４０）と、ステップＳ７０の処理で、的中券が挿入された場合には、その的中券に相当する代金（ステップＳ１１０）の合計額から発券のための代金（掛け金に相当）を減じた差額を精算料金として、硬貨口１６１または紙幣口１６３を介してユーザに返却する。
【００５７】
以上のように、上記実施例における馬券発売及び的中代金払戻装置１０００によれば、ユーザにより投票カードが挿入されると、その投票カードの投票内容を読み取り、その後、投票カードを一時的に投票カード専用搬送路１２０に保留するようにしている。このようにすれば、投票カードを回収せずに保留するので、上述の発券処理におけるステップＳ１５０のごとく、ユーザから投票カードの返却要望があった場合に、ステップＳ１６０の処理のごとく、それをユーザに返却することが可能となる。また、このようにすれば、投票カードは、リーダ３０付近に保持されないので、上述の発券処理におけるステップＳ８０の処理のごとく、リーダ３０で馬券の馬券データを読み取ることができる。さらには、このようにすれば、投票カードは、全体搬送路７０に保持されないので、ステップＳ１３０の処理のごとく、馬券を返却口７５へ搬送することが可能となる。言い換えれば、本実施例の馬券発売及び的中代金払戻装置１０００によれば、投票カードと的中券を同時に取り扱う（処理する）ことが可能となる。
【００５８】
また、馬券発売及び的中代金払戻装置１０００において、リーダ３０、読み取り用搬送路６０の一部、全体搬送路７０の一部、廃券印字部１００等は、投票カードと的中券との兼用となっている。このようにすれば、小型化、低価格を図ることができる。
【００５９】
Ｂ．変形例：
なお、本発明では、上記した実施の形態に限られるものではなく、その要旨を逸脱しない範囲において種々の態様にて実施することが可能である。
【００６０】
Ｂ１．変形例１：
上記実施例の馬券発売及び的中代金払戻装置１０００は、上述の発券処理において、競馬競技を対象とした馬券の発券を行うこととしているが、本発明はこれに限られるものではない。例えば、発券処理において、馬券に代えて、競輪、ボート競技、バイク競技、自動車競技、くじ（例えば、ロトくじ、サーカーくじなど）、ビンゴゲーム等の予想内容を示す投票券の発券を行うようにしてもよい。この場合、投票カードには、これらの競技やくじを予想する予想内容が記載される。
【００６１】
Ｂ２．変形例２：
上記実施例の発券処理において、投票カードを投票カード専用搬送路１２０に保留するようにしているが、本発明はこれに限られるものではない。例えば、読み取り用搬送路６０において、リーダ３０よりも搬送方向について下流の位置や全体搬送路７０のいずれかの位置から分岐する保留用搬送路（図示せず）を設けて、その保留用搬送路に保留するようにしてもよい。
【００６２】
Ｂ３．変形例３：
上記実施例の馬券発売及び的中代金払戻装置１０００は、投票カードを先に挿入して、その後、的中券を挿入可能にしているが、本発明はこれに限られるものではない。的中券を最初に挿入して、その後、投票カードを挿入するようにしてもよい。この場合、上記馬券発売及び的中代金払戻装置１０００は、投票カード専用搬送路１２０を設けず、リーダ３０よりも搬送方向に下流の位置や全体搬送路７０のいずれかの位置から分岐する保留用搬送路（図示せず）を設けて、その保留用搬送路に最初に挿入された的中券を保留するようにしてもよい。例えば、全体搬送路７０と的中券回収箱４０との間に、保留用搬送路とそれを駆動する保留用搬送路駆動部を設けるようにしてもよい。この保留用搬送路は、全体搬送路７０から搬送されてくる的中券を、制御部２００の指示に基づき、一旦保留したり、的中券回収箱４０へ搬送したり、また、全体搬送路７０へ再搬送したりする機能を有する。このようにしても、投票カードと的中券を同時に取り扱う（処理する）こと可能となる。
【００６３】
Ｂ４．変形例４：
上記実施例の馬券発売及び的中代金払戻装置１０００では、全体搬送路７０と投票カード専用搬送路１２０は、それぞれ別の駆動源である全体搬送路駆動モータ９０と投票カード専用搬送路駆動部１３０により駆動されることとしているが、本発明はこれに限られるものではなく、どちらか一方の駆動源により全体搬送路７０と投票カード専用搬送路１２０を駆動させるようにしてもよい。この場合、全体搬送路駆動モータ９０と投票カード専用搬送路駆動部１３０のどちらか一方を設けない。例えば、投票カード専用搬送路駆動部１３０を設けないこととすると、全体搬送路駆動モータ９０と投票カード専用搬送路１２０とをクラッチを介して接続するようにする。そして、クラッチの連結を制御してその連結の有無により、投票カード専用搬送路１２０を駆動させる。また、同様に、例えば、投票カード専用搬送路駆動部１３０を設けず、読み取り用搬送路駆動モータ８０と投票カード専用搬送路１２０とをクラッチを介して接続し、クラッチの連結を制御してその連結の有無により、投票カード専用搬送路１２０を駆動させるようにしてもよい。以上のようにすれば、投票カード専用搬送路１２０を駆動する投票カード専用搬送路駆動部１３０を設置することなく、投票カード専用搬送路１２０を駆動することができるので、投票カード専用搬送路駆動部１３０を設置するコストを削減することができる。
【００６４】
Ｂ５．変形例５：
上記実施例の馬券発売及び的中代金払戻装置１０００において、投票カード取込部１０と的中券取込部２０は別々に構成されているが、本発明はこれに限られるものではない。すなわち、馬券発売及び的中代金払戻装置１０００において、投票カード取込部１０および的中券取込部２０を設けず、投票カード取込部１０と的中券取込部２０とを一体に構成して、投票カードと的中券をそれぞれ取り込める投票カード又は的中券取込部を設けるようにしてもよい。このようにすれば、小型化および低価格を図ることができる。なお、この場合、投票カード又は的中券取込部は、請求項における投票カード取込部及び的中券取込部に相当する。
【００６５】
Ｂ６．変形例６：
上記実施例の馬券発売及び的中代金払戻装置１０００が行う発券処理において、制御部２００は、ユーザにより投票カードが挿入された場合に（ステップＳ５：ＹＥＳ）、その投票カードを読み取り用搬送路駆動モータ８０に読み取り用搬送路６０を駆動させて、位置Ｘまで搬送させるようにしているが、本発明はこれに限られるものではない。例えば、制御部２００は、ユーザにより投票カードが挿入されると、その投票カードを読み取り用搬送路駆動モータ８０に読み取り用搬送路６０を駆動させて、一旦、リーダ３０まで搬送させ、リーダ３０に投票カードの投票内容を読み取らせる。そして、制御部２００は、その後ただちに、読み取り用搬送路駆動モータ８０及び全体搬送路駆動モータ９０に、それぞれ読み取り用搬送路６０及び全体搬送路７０を駆動させて、投票カード専用搬送路１２０まで搬送させ、保留させるようにしてもよい。
【図面の簡単な説明】
【００６６】
【図１】本発明の本実施例における馬券発売及び的中代金払戻装置１０００の概略構成とホストコンピュータ２０００とを示した図である。
【図２】本実施例における馬券発売及び的中代金払戻装置１０００の正面図である。
【図３】本実施例における発券処理を表わすフローチャートである。
【図４】本実施例における発券処理を表わすフローチャートである。
【図５】従来における投票券発売及び的中代金払戻装置５００の概略図である。
【符号の説明】
【００６７】
１０...投票カード取込部
１５...投票カード挿入口
２０...的中券取込部
２５...的中券挿入口
３０...リーダ
４０...的中券回収箱
５０...投票カード回収箱
６０...読み取り用搬送路
７０...全体搬送路
７５...返却口
８０...読み取り用搬送路駆動モータ
９０...全体搬送路駆動モータ
１００...廃券印字部
１１０...操作タッチパネル
１２０...投票カード専用搬送路
１３０...投票カード専用搬送路駆動部
１４０...発券印刷部
１４５...発券口
１５０...精算ボタン
１６０...現金管理部
１６１...硬貨口
１６３...紙幣口
２００...制御部
５００...投票券発売及び的中代金払戻装置
５７５...返却口
１０００...馬券発売及び的中代金払戻装置
２０００...ホストコンピュータ
【図１】
2006190133.tif 000003
【図２】
2006190133.tif 000004
【図３】
2006190133.tif 000005
【図４】
2006190133.tif 000006
【図５】
2006190133.tif 000007